(57)【要約】  一側面によると、本発明は、多層ホイルシステムの２枚のホイル間に伝導構造を設ける方法を提供する。本システムは少なくとも２枚のホイルを備え、これらのうちの少なくとも１枚のホイルは端子を備える。本方法は、少なくとも１つの固形状接着剤層を設けるステップと、接着剤層にスルーホールをパターニングするステップと、端子に接続される伝導構造を形成するようにスルーホールに伝導材料を充填するステップと、少なくとも２枚のホイルを接合するステップとを（任意の順番で）含む。本発明の利点の１つは、多層ホイルシステムの製造工程に使用されうることである。【選択図】図１
2011527099.tif 000002
【特許請求の範囲】
【請求項１】
少なくとも１枚のホイル（２）が端子（４）を備えた少なくとも２枚のホイル（２）を備える多層ホイルシステム（３）において、２枚のホイル（２）間に伝導構造（１）を設ける方法であって、
少なくとも１つの固形状接着剤層（５）をホイル（２）上に設けるステップと、
前記接着剤層（５）にスルーホール（６）をパターニングするステップと、
前記端子（４）に接続される前記伝導構造（１）が形成されるように、前記スルーホール（６）に伝導材料（７）を充填するステップと、
前記少なくとも２枚のホイル（２）を接合するステップと、
を任意の順番で含む方法。
【請求項２】
少なくとも１枚のホイル（２）に複数のスルーホール（６）をパターニングするステップをさらに含む、請求項１に記載の方法。
【請求項３】
前記ホイル（２）の前記パターニングは前記接着剤層（５）の前記パターニングに少なくとも部分的に重なる、請求項２に記載の方法。
【請求項４】
剥離ライナー（９）が前記接着剤層（５）に積層され、前記方法は、前記余分な伝導材料（７）を除去するように、前記スルーホール（６）への伝導材料（７）の充填後、前記ホイル（２）の接合前に、前記剥離ライナー（９）を取り除くステップをさらに含む、請求項１に記載の方法。
【請求項５】
前記ホイル（２）と前記固形状接着剤層（５）とはホイル送り出し部（１０）から供給され、リールツーリール式の製造工程で使用されるように、前記ホイル（２）と前記接着剤層（５）とを前記端子（４）および前記スルーホール（６）に関して位置合わせするステップをさらに含む、請求項１に記載の方法。
【請求項６】
少なくとも１枚のホイル（２）が端子（４）を備えた少なくとも２枚のホイル（２）と、
各２枚のホイル（２）を接合するために前記ホイル（２）間に設けられる少なくとも１つの固形状接着剤層（５）と、
を備える多層ホイルシステム（３）であって、
前記端子（４）に接続される伝導構造（１）が２枚のホイル（２）間に存在し、前記伝導構造（１）は前記接着剤層（５）のスルーホール（６）に充填される伝導材料（７）を含むことを特徴とする、多層ホイルシステム（３）。
【請求項７】
前記伝導構造（１）は、前記少なくとも２枚のホイル（２）内の対応する端子（４）間の電気配線または光配線のどちらか一方を形成する、請求項６に記載のシステム。
【請求項８】
前記伝導構造（１）は、少なくとも１枚のホイル（２）の複数のスルーホール（６）に充填された伝導材料（７）を含む、請求項６に記載のシステム。
【請求項９】
少なくとも１つの端子（４）を有するホイル（２）を供給するように構成された少なくとも１つのホイル送り出し部（１１）と、
スルーホール（６）のパターンを固形状接着剤層（５）に設けるように構成された接着剤パターニング部（１２）と、
２枚のホイル（２）間に伝導構造（１）を形成するように前記スルーホール（６）に伝導材料（７）を充填するように構成された充填部（１３）と、
を備えた多層ホイル製造システム（１０）。
【請求項１０】
前記ホイル（２）内の前記端子（４）と前記接着剤層（５）の前記スルーホール（６）とを位置合わせするように構成された位置合わせ部（１３）をさらに備える、請求項９に記載の製造システム（１０）。
【請求項１１】
スルーホール（６）のパターンをホイル（２）に設けるように構成されたホイルパターニング部（１５）をさらに備える、請求項９に記載の製造システム（１０）。
【発明の詳細な説明】
【技術分野】
【０００１】
本発明は、多層ホイルシステムの製造方法およびシステムに関し、特に、電気的機能を有するホイルの機械的組立体に関する。
【背景技術】
【０００２】
本発明は、多層ホイルシステム、すなわち可撓性の積層型電子または光学システム、の機械的組み立ての分野に関する。これら多層ホイルシステムのうちの特定の種類、いわゆる「システムインホイル」、においては、各ホイルは、ディスプレイ機能、バッテリ機能、または太陽電池機能のような特定の電気的または光学的機能を有しうる。システムインホイルは、例えば照明分野や再利用可能および使い捨てセンサ装置の分野において、極めて多くの用途を有する。
【０００３】
個々のホイルは、例えば紙印刷業界で現在用いられているような製造工程を用いて、大きなサイズで大量に低コストで製造しうる。個々のホイルを複数の異なる場所で製造することもでき、システムの組み立てを中心地で行うこともできる。
【０００４】
ホイル同士を接合し電気的に接続する従来の一方法では、異方性導電接着剤をホイルの全面にわたって用いる。この手法の欠点の１つは、低コストの用途向けには費用がかかりすぎることである。別の従来の方法は、液状の導電性接着剤と液状の非導電性接着剤とを、例えばスクリーン印刷によって、同時に塗布することであろう。１つの欠点は、液状接着剤同士の混合が積層時に起こりうることである。
【発明の概要】
【発明が解決しようとする課題】
【０００５】
一側面において、本発明は、多層ホイルシステムの製造工程に使用されうる、ホイルを接合し電気的または光学的に接続する方法を提供することを目的とする。
【課題を解決するための手段】
【０００６】
一側面によると、本発明は、少なくとも１枚のホイルが端子を備えた少なくとも２枚のホイルを備える多層ホイルシステムの２枚のホイル間に伝導構造を設ける方法であって、少なくとも１つの固形状接着剤層を１枚のホイル上に設けるステップと、スルーホールを接着剤層にパターニングするステップと、上記端子に接続される伝導構造を形成するようにスルーホールに伝導材料を充填するステップと、上記少なくとも２枚のホイルを接合するステップとを任意の順番で含む方法を提供する。
【０００７】
別の側面によると、本発明は、少なくとも１枚のホイルが端子を備えた少なくとも２枚のホイルと、各２枚のホイルを接合するためにこれらのホイル間に設けられた少なくとも１つの固形状接着剤層とを備える多層ホイルシステムであって、上記端子に接続される伝導構造が２枚のホイル間に存在し、上記伝導構造は接着剤層のスルーホールに充填された伝導材料を含むことを特徴とする多層ホイルシステムを提供する。
【０００８】
さらに別の側面によると、本発明は、少なくとも１つの端子を有するホイルを供給するように構成された少なくとも１枚のホイル送り出し部と、スルーホールのパターンを固形状接着剤層に設けるように構成された接着剤パターニング部と、ホイル内の端子と接着剤層のスルーホールとを位置合わせするように構成された位置合わせ部と、２枚のホイル間に伝導構造を形成するように伝導材料をスルーホールに充填するように構成された充填部とを備えた多層ホイル製造システムを提供する。
【０００９】
本発明は、本発明の好適な実施形態についての以下の詳細な説明を添付図面と併せて考えることによってより容易に明らかになるであろう。
【図面の簡単な説明】
【００１０】
【図１】二層ホイルシステムの形態の本発明の実施形態。
【図２】パターニング選択肢の概略図。
【図３】三層ホイルシステムの形態の本発明の実施形態。
【図４】２つの接着剤層が二層ホイルシステムに設けられる本発明の実施形態。
【図５】パターニング済みホイルを備える本発明の実施形態。
【図６】剥離ライナーの使用の概略図。
【図７】多層ホイル製造システムの概略図。
【図８】傷の治癒をその場で監視するためのスマートバンデージ（包帯）センサを形成する例示的三層ホイルシステム。
【発明を実施するための形態】
【００１１】
本発明は、多層ホイルシステムの２枚のホイル間に伝導構造を設ける方法に関する。本発明による多層ホイルシステムに使用しうるいわゆる機能ホイルは、「可撓性の積層型電子または光学ホイルシステム」として示唆的に特徴付けられうる。一般に、このような機能ホイルシステムは、少なくとも１つの機能回路を備える。さらに、一般に、この機能ホイルシステムは、この少なくとも１つの機能回路に接続される接続パッチを少なくとも１つ備える。したがって、機能ホイルは、それ自体が多層装置であると見なされうる。
【００１２】
このようなホイルの一般的な例は、以下の従来技術の出版物に見出せる。
１．  Ｍ．コエツ（Ｋｏｅｔｓｅ）らによる「インプレーン光学センサ（Ａｎ  ｉｎ−ｐｌａｎｅ  ｏｐｔｉｃａｌ  ｓｅｎｓｏｒ）」、ＳＰＩＥ学会誌（Ｐｒｏｃｅｅｄｉｎｇｓ  ｏｆ  ＳＰＩＥ）−国際光工学会（Ｔｈｅ  Ｉｎｔｅｒｎａｔｉｏｎａｌ  Ｓｏｃｉｅｔｙ  ｆｏｒ  Ｏｐｔｉｃａｌ  Ｅｎｇｉｎｅｅｒｉｎｇ）、第６７３９巻、２００７年。以降、機能ホイルを「ホイル」と総称する。
【００１３】
本発明によると、本方法は、少なくとも１つの固形状接着剤層をホイル上に設けるステップと、スルーホールを接着剤層にパターニングするステップと、上記端子に接続される伝導構造を形成するようにスルーホールに伝導材料を充填するステップと、上記少なくとも２枚のホイルを接合するステップとを任意の順番で含む。本方法は、さまざまな種類のホイルシステムの製造に使用されうる。本方法のさまざまな側面を明らかにするために、いくつかのホイルシステムを以下に説明する。各図において、同様の部分には対応する参照符号が付けられている。
【００１４】
図１は、１つの固形状接着剤層（５）によって接合される２枚のホイル（２）間に伝導構造（１）が形成されるホイルシステムの一実施形態を示す。ただし、本方法は、別の実施形態で説明するように、２枚より多い数、例えば３枚、のホイル（２）を有するホイルシステムの製造にも使用しうる。さらに、１つを超える数の接着剤層を２枚のホイル（２）間に使用しうる。これも、別の実施形態に示されている。
【００１５】
図１Ａは、２つの端子（４）を有する１枚のホイル（２）上に設けられたパターニング済みの固形状接着剤層（５）を示す。これらの端子（４）は、電気的または光学的に伝導性のあるホイル間接続パッチでもよく、さまざまな機能性を有するホイルの接続を可能にするためにホイル（２）上に配置される。端子（４）は、例えば１００平方マイクロメートルから１平方ミリメートルの範囲内のサイズを有しうる。システムが少なくとも１つの端子（４）を備えた少なくとも１枚のホイル（２）を備える限り、端子（４）の数は変更可能である。
【００１６】
固形状接着剤層を形成するために使用しうる接着剤の例として、エポキシ樹脂類とアクリラート類とがあるが、エチレン酢酸ビニール（ＥＶＡ）および変性ポリプロピレンのような熱可塑性ポリマーも使用しうる。熱可塑性ポリマーとして、感圧接着剤、熱硬化性接着剤、および熱可塑性材料が挙げられる。接着剤層（５）の厚さは、５〜５０マイクロメートル台で可変である。
【００１７】
多層ホイルシステムにおいて、接着剤層は、ホイルの接合のほか、他のいくつかの機能を果たしうる。接着剤層は、ホイルの機械的変形に起因するシステム内の応力を軽減する緩衝層としての機能を果たしうる。システム故障を防ぐために、機械的変形が制限されるように接着剤層の弾性率を選択しうる。
【００１８】
上で説明したように、機能ホイルはそれ自体が多層システムであると見なされうる。これは、ホイルを極めて多様な機能性のために設計しうるという点で好都合である。他方、内部構造の違いより、言い換えると内部積層の違いにより、表面構造がさまざまに異なり得る。さまざまな表面構造を有するホイルの例として、ＯＬＥＤホイルまたはフォトダイオードホイルがある。さまざまな表面構造は、ホイル同士の直接溶融を妨げうる。この場合、接着剤層によってホイル間を分離しうるため、隣接する表面構造が互いに異なる２枚の機能ホイルを積み重ねることができる。表面構造が異なる別の理由は、ホイルに局所的にのみ貼り付けられる層に起因する場合もある。例えば、ＯＬＥＤを環境から保護するために、ＯＬＥＤホイルを可撓性の透明な無機障壁層によって局所的に覆うこともある。
【００１９】
添加剤を接着剤に施すことによって、接着剤の機能性を強化しうる。例えば、接着剤層の導光特性を向上させるために、例えばＯＬＥＤホイルからフォトダイオードホイルへの光の良好なインカップリングを保証するために、例えば光拡散材料を接着剤に加えてもよい。接着剤層を強化する別の例は、ＯＬＥＤホイルのような感水性ホイルから水分を遠ざけるために、水分ゲッターを接着剤全体に混ぜることによる。
【００２０】
接着剤は、多層ホイルシステムに機械的な一体性ももたらしうる。ホイル同士を直接溶融すると、ホイル間の緊密性が不十分になりうるため、ホイルシステムがばらばらに分解しうる。接着剤層は、ホイルシステム１つにまとめておくための緊密性をもたらしうる。
【００２１】
図１Ｂには、端子（４）に接続される伝導構造（１）を形成するように、スルーホール（６）に伝導材料（７）が充填される様子が示されている。充填は、ディスペンサによって、または他の充填手法を用いて、行いうる。伝導材料（７）が穴（６）の外に溢れると接着剤層（５）の強度が低下しうるので、充填は極めて正確に行う必要がある。この問題を克服するために、剥離ライナー（９）を使用しうる。剥離ライナー（９、図６を参照）を使用すると、剥離ライナー（９）を取り除くことによって溢れた分が除去されるので、充填をそれほど正確に行う必要がない。この場合、穴の充填にスキージ（８）を用いることもできる。剥離ライナー（９）の使用については、より詳細に以下に説明する。
【００２２】
なお、米国特許出願公開第２００２０１６０１８号明細書には、多層プリント配線板の製造方法が示されている。この方法においては、複数層の接着性未硬化樹脂シートが配線板の内層基板に接着される。次に、穴が未硬化樹脂に形成され、導電性材料で充填される。米国特許出願公開第’０１８号明細書には、シートの接合についても、シート間に配線を設けることについても記載されていない。別の側面において、可撓性の多層ホイルシステムの製造における課題は、多層プリント配線板の製造における課題とは大きく異なる。
【００２３】
使用しうる伝導材料の例として、熱またはＵＶ硬化性の銀または銅のような導体ペーストが挙げられるが、カーボン充填エポキシ樹脂またはアクリラート類も使用可能である。
【００２４】
さらに、穴に種子材料を充填し、その種子から金属導体を（無電解）成長させることも可能である。
【００２５】
図１Ｃには、トップホイル（２）がボトムホイル（２）に接合された、完成したホイルシステム（３１）が示されている。
【００２６】
少なくとも２枚のホイル（２）内の対応する２つ（またはそれ以上）の端子（４）が伝導構造（１）によって接続される場合は、配線が形成される。穴（６）の充填に用いられる伝導材料（７）の種類に応じて、伝導構造（１）は電気配線または光配線を形成しうる。
【００２７】
本願明細書に記載の各実施形態における伝導構造は、電気配線または光配線にのみ関する。ただし、本発明は電気回路または光回路と併用しうることも容易に分かる。
【００２８】
この実施形態において、接着剤はホイル（２）全体を覆うが、例えばコストの観点から、接着剤層（５）をホイル（２）上の一部にのみ施すことも考えられる。
【００２９】
本発明の方法のステップは如何なる順番でも実行しうるので、固形状接着剤層のパターニングは接着剤層をホイル上に設ける前でも後でも行いうる。これにより、製造上の選択肢が複数提供される。その一部を以下で説明する。
【００３０】
図２Ａに示されている１つの選択肢においては、スルーホール（６）がパターニングされた固形状接着剤層（５）がホイル（２）上に設けられる。このパターニングは、製造者が本発明の方法を用いて行いうるが、第三者によって製造されたパターニング済みの接着剤層（５）を用いることも考えられる。パターニング済みの接着剤層をホイルに積層する利点の１つは、接着剤のパターニングによってホイルが損傷されないため、パターニング工程がより簡素化されうることである。
【００３１】
別の選択肢は、ホイル（２）上に既に設けられている接着剤層（５）をパターニングすることである。これは、図２Ｂに示されている。積層後にパターニングする利点の１つは、パターニングされていない接着剤層を設ける場合、パターニング済みの接着剤層を設ける場合に比べ、位置合わせが殆ど必要ないことである。接着剤層をホイルに設けた後で、接着剤層を極めて正確にパターニングしうる。
【００３２】
図２Ｂにおいては、接着剤層（５）のパターニングがレーザ（１５）によって行われている。ただし、押し抜きや型押しのような他のパターニング手法も可能である。これらの手法は、ホイルに既に設けられている接着剤層のパターニングおよびホイルに設けられる前の接着剤層のパターニングの両方に適している。
【００３３】
図３に示されている別の実施形態は、３枚のホイル（２）を備えた多層ホイルシステム（３２）の製造を示す。各２枚のホイル（２）は、伝導構造（１）を備えた単一の固形接着剤層（５）によって接合される。図３Ａは、二層ホイルシステムを示す。このシステムは前の実施形態のシステムと同様であるが、トップホイル（２）の上側にさらに２つの端子（４）を備えている。これらの端子（４）は、３番目のホイル（２）内の端子（４）に接続される。図３Ｂには、二層ホイルシステムの上にパターニングされた接着剤層（５）が示されている。上記のように、パターニングは、接着剤層をホイルに積層する前でも後でも行いうる。図３Ｃは、接着剤層（５）の穴（６）への伝導材料（７）の充填を示す。図３Ｄには、完成した三層ホイルシステム（３３）が示されている。
【００３４】
図４は、２層の伝導材料（７）が２枚のホイル（２）間に設けられるという点で、図１に示すシステムとは異なる二層ホイルシステム（３３）を示す。図４Ａは、ボトムホイル上に設けられた２つの接着剤層（５）を示す。上記のように、パターニングは、接着剤層をホイルに積層する前でも後でも行いうる。２つの層を設ける代わりの選択肢は、この２つの独立した層を合わせた厚さと同じ厚さの１つの層を用いることである。この１つの層に、次に、２つの独立した層の穴（６）の重ね合わせとして形作られる穴（６）をパターニングする必要がある。次のステップ（図４Ｂ）は、２つの層によって形成された穴（６）への伝導材料（７）の充填である。図４Ｃは、トップホイル（２）を含む、完成した二層ホイルシステム（３４）を示す。
【００３５】
上では、接着剤層のパターニングについて説明した。以下の実施形態から明らかになるように、ホイルもパターニングしうる。接着剤層に関して説明した選択肢、手法、および利点は、ホイルのパターニングにも当てはまる。
【００３６】
さらに別の実施形態が図５に示されている。これは、各２枚のホイル（２）が接着剤層（５）で接合される三層ホイルシステム（３４）である。図５Ａは、ボトムホイル（２）上に設けられた第１の接着剤層（５）への充填を示す。充填後、第２のホイル（２）を設け、その後に第２の接着剤層（５）を設ける（図５Ｂに図示）。この実施形態においては、第２のホイル（２）にスルーホール（６）がパターニングされている。なお、一般に、ホイルは、ホイル内のビアホールのパターニングに影響されやすい。正しく扱われないと、穴のパターニングによってホイルが破損しうる。ホイルの破損を防止するために、ホイルへの穴のパターニングは、ホイル内の機能回路の外側の特定領域に限定されることが好ましい。パターニング済みのホイル（２）を最初に設けてから次に接着剤層（５）を設ける代わりに、ホイル（２）と接着剤とを１つの層として設けるという選択肢もある。ホイル（２）と接着剤とを予め積層しておくこともできる。上記のように、パターニングは、接着剤層をホイルに積層する前でも後でも行いうる。ホイルのパターニングも、ホイルを接着剤層に設ける前でも後でも行いうる。接着剤層のパターニングに関して上で述べた所論は、そのままホイルのパターニングにも当てはまりうる。図５Ｃでは、ホイル内および接着剤層内の穴（６）が充填されている。図５Ｄは、システムの最上部にトップホイル（２）を設けることによって得られた三層ホイルシステム（３４）を示す。
【００３７】
なお、この実施形態における三層ホイルシステム（３５）は、４つの配線を備えることに注目されたい。すなわち、ボトムホイル（２）とトップホイル（２）との間に２つと、ボトムホイル（２）とミドルホイル（２）との間に１つと、ミドルホイル（２）とトップホイル（２）との間に１つ存在する。
【００３８】
さらに、１枚以上のホイル（２）を貫通する配線を作成した結果として、ホイル（２）のパターニングは接着剤層（５）のパターニングに少なくとも部分的に重なることに注目されたい。
【００３９】
上記のような各実施形態の組み合わせ、例えば、スルーホール（６）がミドルホイル（２）に設けられ、下側およびミドルホイル（２）が２つの接着剤層（５）によって接合される三層ホイルシステム、も特許請求の範囲内に含まれることに留意されたい。
【００４０】
接着剤層（５）を穴（６）に充填するステップでは、上記のように、伝導材料（７）の溢れ出しを減らし、かつ溢れ出し範囲における接着剤層（５）の強度の低下を防止するために、正確にパターニングされた充填手法を必要とする。パターニングされた充填手法の適用に伴う欠点は、複雑さとコストである。
【００４１】
穴（６）へのパターニングされた充填を回避する方法の１つは、剥離ライナー（９、図６を参照）を接着剤層（５）に積層することである。その後、穴（６）への充填を、パターニングされていない安価な方法で、例えばスキージ（８）を用いて、行いうる。スルーホール（６）への伝導材料（７）の充填後、ホイル（２）の接合前に、剥離ライナー（９）を取り除くことによって余分な伝導材料（７）を除去する。
【００４２】
図６は、剥離ライナー（９）の使用を模式的に示す。図６Ａでは、パターニング済みの接着剤層（５）が、その上に貼り付けられた剥離ライナー（９）と共に、ホイル（２）に設けられる。図６Ｂでは、穴（６）への充填後の剥離ライナー（９）上の余分な伝導材料（７）がはっきりと分かる。剥離ライナー（９）の除去後、余分な材料も除去されるため、接着剤の強度が維持される。剥離ライナー（９）の使用による別の効果は、図６Ｃから分かる。剥離ライナー（９）の除去後、伝導材料（７）の小山が充填済みの穴（６）の上に形成されている。図６Ｄに示すようにトップホイル（２）をシステム（３５）に設けると、材料の小山が穴（６）に押し込まれる。これにより、伝導材料（７）の密度が増し、伝導性が向上する。剥離ライナーの使用による別の利点は、伝導材料が収縮した場合でも、伝導材料の小山によって補填できる点である。図６Ｄには、より高密度の点描フィルエフェクトによって密度の増加が示されている。剥離ライナー（９）の厚さは５〜５０マイクロメートル台である。
【００４３】
上の実施形態においては、剥離ライナー（９）は接着剤層（５）の充填側にのみ設けられる。実際には、剥離ライナー（９）を接着剤層（５）の充填側とは反対の側、すなわちホイル（２）に接着される側、にも使用しうる。接着剤層（５）をホイル（２）に接着する前に、剥離ライナー（９）を取り除いて、固形接着剤層（５）の粘着側を露出させる。接着剤層（５）の粘着層を保護しておくと、多層ホイルシステムの製造中の接着剤層（５）の取り扱いが簡素化されうる。
【００４４】
本発明の方法は、リールツーリール式の製造工程で使用されうる。多層ホイル製造システム（１０）が図７に模式的に示されている。この例において、製造システム（１０）は３つのユニットを備えている。第１のユニットは、少なくとも１つの端子（４）を有するホイル（２）を供給するように構成されたホイル送り出し部（１１）である。第２のユニットは、スルーホール（６）のパターンを固形状接着剤層（５）に設けるように構成された接着剤パターニング部（１２）である。上記のように、パターニングは、ホイルへの接着剤層の積層前でも後でも行いうる。第３のユニットは、伝導構造（１）を２枚のホイル（２）間に形成するようにスルーホール（６）に伝導材料（７）を充填するように構成された充填部（１４）である。
【００４５】
別の実施形態において、製造システム（１０）は、ホイル（２）内の端子（４）と予めパターニングされた接着剤層（５）のスルーホール（６）とを位置合わせするように構成された位置合わせ部をさらに備える。
【００４６】
さらに別の実施形態において、製造システム（１０）は、スルーホール（６）のパターンをホイル（２）に設けるように構成されたホイルパターニング部をさらに備える。
【００４７】
スマートホイルシステムの複数の例が従来技術に見出される。このようなシステムの単なる例示として、ここで２つの例を少し詳しく説明する。
【００４８】
例１：スマートバンデージ（包帯）センサ
多層ホイルシステムの１つの例は、傷の治癒をその場で監視するスマートバンデージ（包帯）センサである。図８は、３枚の機能ホイル８１、８２、および８３を備えた三層ホイルシステムとしてのスマートバンデージ（包帯）センサ８０を示す。３枚のホイル８１、８２、および８３は、２つの接着剤層を介して積層され、電気的に相互接続されている。ホイル間の接着剤層は、図８には見えない。第１のホイル８１は、複数の有機発光ダイオード（ＯＬＥＤ）が印刷されたポリエチレンナフタレート（ＰＥＮ）層を備えた「ＯＬＥＤホイル」である。ＯＬＥＤを周囲環境から保護するために、ＯＬＥＤが可撓性の透明な無機障壁層によって局所的に覆われることもある。第２のホイル８２は、有機フォトダイオードが印刷されたＰＥＮ層を備えた「フォトダイオードホイル」である。ＯＬＥＤと同様に、フォトダイオードも環境の影響に敏感である。ＯＬＥＤ層も可撓性の透明な無機障壁層によって局所的に覆われることがある。第３のホイル８３は、複数のドライバ部品が搭載された「ドライバホイル」である。ドライバホイルは、銅層とポリイミド層とを備えている。ＯＬＥＤホイル８１とフォトダイオードホイル８２の両方がドライバホイル８３に電気的に接続されている。
【００４９】
各ホイルの内部構造と局所的に設けられうる無機層とによって、ホイル８１、８２、および８３の表面構造が異なりうる。この理由により、ホイル８１、８２、および８３を相互に直接溶融させることはできない。代わりに、異なる表面構造同士を接合し、異なる表面構造間に緩衝を設けるために、異なるホイル８１、８２、および８３間に接着剤層が挿入されている。複数の穴を接着剤層に作成し、これらの穴に伝導材料を充填することによって電気配線８４および８５が設けられている。
【００５０】
この例においては、第１の配線８４がＯＬＥＤホイル８１をドライバホイル８３に接続し、第２の配線８５がフォトダイオードホイル８２をドライバホイル８３に接続している。第１の配線８５は、フォトダイオードホイル８２を貫通している。図８において、フォトダイオードホイル８２は穴を設けることによる影響を受けやすいため、第２の配線用の穴はホイル８２の特定の領域においてのみ、より具体的にはホイルの内部機能回路から離れた領域においてのみ、ホイル８２を貫通していることが分かる。これらの領域の外側にある穴は、ホイルを容易に損傷しうる。
【００５１】
この例においては、ＯＬＥＤホイル８１からフォトダイオードホイル８２上への光の良好なインカップリングを保証するために、ＯＬＥＤホイル８１とフォトダイオードホイル８２との間に設けられた接着剤層に光拡散材料が追加されている。
【００５２】
例２：積層型ＯＬＥＤ
多層ホイルシステムの別の例は、２枚のホイルが積層されたＯＬＥＤである。このシステムにおいては、接着剤層を用いて配電ホイルがＯＬＥＤホイルに積層されている。配電ホイルは、ＯＬＥＤの低導電性の陽極全体にわたって電流の分配を支援する。この構成は、極めて大型でありながら、均一な光出力を行うＯＬＥＤの製造を可能にする。この例において、接着剤層は、ＯＬＥＤホイルおよび配電ホイルのそれぞれ異なる表面構造同士の接続を可能にしている。さらに、この接着剤層は、装置に機械的一体性をもたらしている。この接着剤層がなければ、装置はばらばらに分解することになるであろう。この例においては、感水性ＯＬＥＤから水を遠ざけ、ＯＬＥＤの寿命を伸ばすために、水分ゲッターが接着膜に混入されている。
【００５３】
所与の詳細図面、具体例、および特定の語句表現は、単に例示を目的としたものである。記載の各実施形態において、伝導構造（１）は、ホイル（２）内の端子（４）間の電気配線を形成する。ただし、１つの端子（４）にのみ接続される伝導構造（１）を作成することも可能であるが、同一ホイル（２）内の複数の端子（４）を接続するための伝導性ワイヤグリッドを形成することも可能である。さらに、付属の特許請求の範囲に表されている本発明の範囲から逸脱することなく、他の置換、修正、変更、および削除を例示的実施形態の設計、動作条件、および配置に行うこともできる。
【図１】
2011527099.tif 000003
【図２】
2011527099.tif 000004
【図３】
2011527099.tif 000005
【図４】
2011527099.tif 000006
【図５】
2011527099.tif 000007
【図６】
2011527099.tif 000008
【図７】
2011527099.tif 000009
【図８】
2011527099.tif 000010
【国際調査報告】
2011527099.tif 000011
2011527099.tif 000012
2011527099.tif 000013